(57)【要約】【課題】被写体の撮影画像の取得要求について、取得要求中の撮影期限を満たすと判定した撮影画像を受信すると、受信した撮影画像を要求元に送信する。【解決手段】第１端末および第２端末と通信するサーバ（４０）は、第１端末から、被写体の撮影期限を示す期限データ（５Ｂ）を含む、撮影画像の取得要求を受信する要求受信部と、第２端末から、撮影部により被写体が撮影された時を示す撮影時特定データを有する撮影画像（８１）を受信する撮影画像受信部と、第２端末から受信した撮影画像が撮影された時は、第１端末から受信した取得要求の撮影期限を満たすと判定したとき、当該撮影画像を特定する画像特定データを第１端末に送信する要求画像送信部と、を備える。【選択図】図１
2014106695.tif 000002
【特許請求の範囲】
【請求項１】
第１端末および第２端末と通信する情報処理装置であって、
前記情報処理装置は、
前記第１端末から、被写体の撮影期限を示す期限データを含む、撮影画像の取得要求を受信する要求受信部と、
前記第２端末から、撮影部により前記被写体が撮影された時を示す撮影時特定データを有する撮影画像を受信する撮影画像受信部と、
前記第２端末から受信した前記撮影画像が撮影された時は、前記第１端末から受信した前記取得要求の前記撮影期限を満たすと判定したとき、当該撮影画像を特定する画像特定データを前記第１端末に送信する要求画像送信部と、を備える、情報処理装置。
【請求項２】
前記取得要求は、前記期限データと、前記被写体の撮影場所を特定する場所データとを含み、
前記情報処理装置は、
前記第２端末との通信情報から、当該第２端末の位置情報を検出する位置検出部と、
検出された前記位置情報が前記取得要求の前記場所データが示す場所に該当する位置を示すと判定したとき、前記第２端末に、前記被写体の撮影要求を送信する撮影要求送信部を、さらに備える請求項１に記載の情報処理装置。
【請求項３】
複数の前記第２端末それぞれから、前記撮影部の起動時に、当該第２端末の位置を示す位置情報を受信する位置情報受信部を、さらに備え、
前記位置検出部は、
前記位置情報受信部により受信された前記位置情報のうち前記取得要求の前記場所データが示す場所に該当する位置を示す位置情報の送信元の第２端末を検出する送信元端末検出部を含み、
前記撮影要求送信部は、検出された前記送信元の第２端末に、前記撮影要求を送信する、請求項２に記載の情報処理装置。
【請求項４】
前記情報処理装置は、
前記被写体の場所を含む予め定められた範囲内に位置する前記第２端末を検出するための範囲内端末検出部と、
前記範囲内端末検出部により検出された前記第２端末に、前記撮影要求を送信する範囲内撮影要求部と、をさらに備え、
前記要求画像送信部は、
前記範囲内端末検出部により検出された前記第２端末から受信する前記撮影画像が撮影された時が、前記取得要求の前記撮影期限を満たすと判定したとき、当該撮影画像の前記画像特定データを前記第１端末に送信する、請求項２に記載の情報処理装置。
【請求項５】
前記情報処理装置は、前記予め定められた範囲内の近距離通信端末を介し、前記第２端末と通信し、
前記範囲内端末検出部は、前記近距離通信端末との通信情報から、前記予め定められた範囲内に位置する前記第２端末を検出する、請求項４に記載の情報処理装置。
【請求項６】
前記範囲内端末検出部は、
前記第２端末からの受信情報に基づき、当該第２端末が前記予め定められ範囲内に位置することを検出する、請求項４に記載の情報処理装置。
【請求項７】
前記第２端末から受信する前記撮影画像を格納するための画像格納部と、
前記画像格納部から、前記取得要求の前記撮影期限を満たす前記撮影された時を示す前記撮影画像を検索する画像検索部と、をさらに備え、
検索された前記撮影画像の前記画像特定データを前記第１端末に送信する、請求項１に記載の情報処理装置。
【請求項８】
前記画像検索部により検索された前記撮影画像の送信元の前記第２端末に対し、当該撮影画像の提供許否の問合わせを送信する問合わせ部を、さらに備え、
前記撮影画像の送信元の前記第２端末からの、前記問合わせの応答に基づき、前記第１端末へ前記画像特定データを送信するか否かを決定する、請求項７に記載の情報処理装置。
【請求項９】
前記取得要求は、前記期限データと、前記被写体の撮影場所を特定する場所データとを含み、
前記撮影画像は、前記撮影時特定データと、撮影時の前記第２端末の端末位置を示す撮影位置データを含み、
前記要求画像送信部は、
前記第２端末から受信する前記撮影画像から、前記取得要求の前記撮影期限を満たす前記撮影された時、および前記撮影時の端末位置が前記取得要求の前記撮影場所に該当する前記撮影画像を検出する、請求項１から８のいずれかに記載の情報処理装置。
【請求項１０】
第１端末と、
第２端末と、
前記第１端末および前記第２端末と通信する情報処理装置と、を備え、
前記情報処理装置は、
前記第１端末から、被写体の撮影期限を示す期限データを含む、撮影画像の取得要求を受信する要求受信部と、
前記第２端末から、撮影部により前記被写体が撮影された時を示す撮影時特定データを有する撮影画像を受信する撮影画像受信部と、
前記第２端末から受信した前記撮影画像が撮影された時は、前記第１端末から受信した前記取得要求の前記撮影期限を満たすと判定したとき、当該撮影画像を特定する画像特定データを前記第１端末に送信する要求画像送信部と、を備える、情報処理システム。
【請求項１１】
第１端末および第２端末と通信する情報処理装置を用いた情報処理方法であって、
前記情報処理方法は、
前記第１端末から、被写体の撮影期限を示す期限データを含む、撮影画像の取得要求を受信するステップと、
前記第２端末から、撮影部により前記被写体が撮影された時を示す撮影時特定データを有する撮影画像を受信するステップと、
前記第２端末から受信した前記撮影画像が撮影された時は、前記第１端末から受信した前記取得要求の前記撮影期限を満たすと判定したとき、当該撮影画像を特定する画像特定データを前記第１端末に送信するステップと、を備える、情報処理方法。
【請求項１２】
プロセッサを備えるコンピュータに請求項１１に記載の情報処理方法を実行させるためのプログラム。
【発明の詳細な説明】
【技術分野】
【０００１】
本発明は情報処理装置に関し、特に、端末からコンテンツの取得要求を受信し、他の端末から当該取得要求に合致するコンテンツを受信し、要求元の端末に送信する情報処理装置に関する。
【背景技術】
【０００２】
ユーザが撮影した写真をサーバにアップし、他のユーザがアップされた写真を閲覧することができるサービスとして『ちょっと見てきて』サービス（非特許文献１）が提供されている。このサービスは、気になる場所を確認したいなどのリクエストをサーバに投稿し、たまたまその投稿を見て写真を撮った人が、写真をサーバにアップすることで、リクエストした他者も含めて、撮影した写真を多くのユーザが共有して閲覧することのできるサービスである。
【０００３】
投稿内容は、場所またはテーマ(怖い顔の犬)が可能である。また、ユーザが「地図上のポイントを選択」もしくは「見たい場所の詳細をテキストで記述」することにより、見たい場所をリクエストする。そのリクエストを閲覧したユーザが写真をアップロードする。フリーの娯楽系のサイトであるため、報酬やユーザ登録の必要はない。
【０００４】
写真などのコンテンツをサーバを介しユーザが共有する他のシステムとして、特開２００５−２５６２９号公報（特許文献１）に開示のコンテンツ提供システムがある。このコンテンツ提供システム」では、サーバはリクエスト端末から受信したコンテンツ収集希望地点を含むリクエストを受ける。さらに、この地点を含む所定地域に存在するモバイル端末に対して、コンテンツ収集を含むリクエストを発行する。リクエストを受信したモバイル端末が収集したコンテンツはサーバに提供され、さらに、リクエスト端末に提供される。  また、特開２００９−２００９２８号公報（特許文献２）の画像管理装置では、ＧＰＳ付きカメラで撮った画像を、ＧＰＳ情報に基づいて、撮影場所と期間とを関連付けて管理する。
【０００５】
また、特開２００３−３３０７６７号公報（特許文献３）のネットアルバム管理方法および装置並びにプログラムでは、複数の人が投稿してなるネットアルバムで、人気のある場所(投稿の多い場所)の写真画像を長く保存しておくサービスが示される。
【先行技術文献】
【特許文献】
【０００６】
【特許文献１】特開２００５−２５６２９号公報
【特許文献２】特開２００９−２００９２８号公報
【特許文献３】特開２００３−３３０７６７号公報
【非特許文献】
【０００７】
【非特許文献１】『ちょっと見てきて』サービス、ニフティ株式会社、［平成２４年１１月８日検索］、インターネット〈URL:http://portal.nifty.com/mitekite/、http://portal.nifty.com/mitekite/about.htm〉
【発明の概要】
【発明が解決しようとする課題】
【０００８】
ユーザには、遠隔地まで出向かなくとも、必要な期限（日時など）までに当該場所の被写体の写真情報を取得して確認しておきたいとの要望がある。
【０００９】
非特許文献１による『ちょっと見てきて』サービスでは、リクエストをサーバに投稿するだけであり、どのようなリクエストが投稿されているかは、ユーザがサーバにアクセスし、リクエストを閲覧する必要があるため、写真を提供できそうなユーザにリクエストが届くとは限らない。また、投稿されるリクエストは場所やテーマを指定するものであり、期限の指定ができないため、緊急性のあるようなリクエストには対応することができない。
【００１０】
また、特許文献１では、サーバ側がモバイル端末に対してサービスができるが、期限付きの写真を要求することに関する記載はない。また、特許文献２および３はユーザが撮影した写真をユーザ間で共有しながら管理する方法であり、期限付きの写真を要求し管理することに関する記載はない。したがって、これら文献では、上記のユーザ要望に応えることができない。
【００１１】
それゆえに本発明の目的は、被写体の撮影画像の取得要求について、取得要求中の撮影期限を満たすと判定した撮影画像を受信すると、受信した撮影画像を要求元に送信する情報処理装置を提供することである。
【課題を解決するための手段】
【００１２】
この発明のある局面に従う、第１端末および第２端末と通信する情報処理装置は、第１端末から、被写体の撮影期限を示す期限データを含む、撮影画像の取得要求を受信する要求受信部と、第２端末から、撮影部により被写体が撮影された時を示す撮影時特定データを有する撮影画像を受信する撮影画像受信部と、第２端末から受信した撮影画像が撮影された時は、第１端末から受信した取得要求の撮影期限を満たすと判定したとき、当該撮影画像を特定する画像特定データを第１端末に送信する要求画像送信部と、を備える。
【００１３】
好ましくは、取得要求は、前期限データと、被写体の撮影場所を特定する場所データとを含み、情報処理装置は、第２端末との通信情報から、当該第２端末の位置情報を検出する位置検出部と、検出された位置情報が取得要求の場所データが示す場所に該当する位置を示すと判定したとき、第２端末に、被写体の撮影要求を送信する撮影要求送信部を、さらに備える。
【００１４】
好ましくは、複数の第２端末それぞれから、前撮影部の起動時に、当該第２端末の位置を示す位置情報を受信する位置情報受信部を、さらに備え、位置検出部は、位置情報受信部により受信された位置情報のうち取得要求の場所データが示す場所に該当する位置を示す位置情報の送信元の第２端末を検出する送信元端末検出部を含み、撮影要求送信部は、検出された送信元の第２端末に、撮影要求を送信する。
【００１５】
好ましくは、情報処理装置は、被写体の場所を含む予め定められた範囲内に位置する第２端末を検出するための範囲内端末検出部と、範囲内端末検出部により検出された第２端末に、撮影要求を送信する範囲内撮影要求部と、をさらに備え、要求画像送信部は、範囲内端末検出部により検出された第２端末から受信する撮影画像が撮影された時が、取得要求の撮影期限を満たすと判定したとき、当該撮影画像の画像特定データを第１端末に送信する。
【００１６】
好ましくは、情報処理装置は、予め定められた範囲内の近距離通信端末を介し、第２端末と通信し、範囲内端末検出部は、近距離通信端末との通信情報から、予め定められた範囲内に位置する第２端末を検出する。
【００１７】
好ましくは、範囲内端末検出部は、第２端末からの受信情報に基づき、当該第２端末が予め定められ範囲内に位置することを検出する。
【００１８】
好ましくは、第２端末から受信する撮影画像を格納するための画像格納部と、画像格納部から、取得要求の撮影期限を満たす撮影された時を示す前撮影画像を検索する画像検索部と、をさらに備え、検索された撮影画像の画像特定データを第１端末に送信する。
【００１９】
好ましくは、画像検索部により検索された撮影画像の送信元の第２端末に対し、当該撮影画像の提供許否の問合わせを送信する問合わせ部を、さらに備え、撮影画像の送信元の第２端末からの、問合わせの応答に基づき、第１端末へ画像特定データを送信するか否かを決定する。
【００２０】
好ましくは、取得要求は、期限データと、被写体の撮影場所を特定する場所データとを含み、撮影画像は、撮影時特定データと、撮影時の第２端末の端末位置を示す撮影位置データを含み、要求画像送信部は、第２端末から受信する撮影画像から、取得要求の撮影期限を満たす撮影された時、および撮影時の端末位置が取得要求の撮影場所に該当する撮影画像を検出する。
【００２１】
この発明の他の局面に従うと、情報処理システムは、第１端末と、第２端末と、第１端末および第２端末と通信する情報処理装置と、を備え、情報処理装置は、第１端末から、被写体の撮影期限を示す期限データを含む、撮影画像の取得要求を受信する要求受信部と、第２端末から、撮影部により被写体が撮影された時を示す撮影時特定データを有する撮影画像を受信する撮影画像受信部と、第２端末から受信した撮影画像が撮影された時は、第１端末から受信した取得要求の撮影期限を満たすと判定したとき、当該撮影画像を特定する画像特定データを第１端末に送信する要求画像送信部と、を備える。
【００２２】
この発明のさらに他の局面に従うと、第１端末および第２端末と通信する情報処理装置を用いた情報処理方法であって、情報処理方法は、第１端末から、被写体の撮影期限を示す期限データを含む、撮影画像の取得要求を受信するステップと、第２端末から、撮影部により被写体が撮影された時を示す撮影時特定データを有する撮影画像を受信するステップと、第２端末から受信した撮影画像が撮影された時は、第１端末から受信した取得要求の撮影期限を満たすと判定したとき、当該撮影画像を特定する画像特定データを第１端末に送信するステップと、を備える。
【００２３】
この発明のさらに他の局面に従うと、プロセッサを備えるコンピュータに上記の情報処理方法を実行させるためのプログラムが提供される。
【発明の効果】
【００２４】
本発明によれば、ユーザは被写体の撮影画像の取得要求を送信すると、当該取得要求中の撮影期限を満たす撮影画像を取得することができる。
【図面の簡単な説明】
【００２５】
【図１】本発明の実施の形態に係るシステムの概要を説明する図である。
【図２】本発明の実施の形態に係るシステムの概略構成図である。
【図３】本発明の実施の形態に係る端末の構成図である。
【図４】本実施の形態に係るサーバの構成図である。
【図５】本発明の実施の形態１のサービス処理における送受信される情報を説明する図である。
【図６】本発明の実施の形態１に係る処理のシーケンスを模式的に示す図である。
【図７】本発明の実施の形態２のサービス処理における送受信される情報を説明する図である。
【図８】本発明の実施の形態２に係る処理のシーケンスを模式的に示す図である。
【図９】本発明の実施の形態３のサービス処理における送受信される情報を説明する図である。
【図１０】本発明の実施の形態３に係る処理のシーケンスを模式的に示す図である。
【発明を実施するための形態】
【００２６】
以下、本発明の各実施の形態について図面を参照し詳細に説明する。なお、同一の構成要素には各図において同一の符号を付し、詳細な説明は繰返さない。
【００２７】
各実施の形態では、複数の端末と通信するサーバは、複数の端末のうち取得要求を送信した要求元端末を除く他の端末から受信した被写体の撮影画像のうちから、当該取得要求が示す撮影期限を満たす時間で撮影された画像を検出し、これを要求元端末に送信するサービスを提供する。
【００２８】
ここでは、被写体の撮影画像は写真などの静止画像と想定するが、これに限定されず動画像であってもよい。
【００２９】
また、当該サービスでは、予め登録した会員に対してのみ提供されると想定する。
[実施の形態１]
（概要）
図１は、本発明の実施の形態に係るシステムの概要を説明する図である。図１を参照してシステムは、ユーザＡ、Ｂ、ＣおよびＤを含む各ユーザが利用する複数の端末と、これら端末と通信する情報処理装置であるサーバ４０を備える。ユーザ端末は、移動体端末を想定する。
【００３０】
ユーザの端末それぞれは、被写体の撮影期限を示す期限データ５Ｂを含む撮影画像にコンテンツ取得要求５０をサーバ送信するための要求送信部と、カメラなどの撮影部による被写体撮影による提供コンテンツ（撮影画像８１、および撮影時間を示す撮影時間データ８Ａを有する関連データ８２を含む）８０をサーバ４０に送信するための撮影画像送信部と、サーバ４０から受信する情報を出力するためのディスプレイ・モニタなどの出力部と、を備える。
【００３１】
サーバ４０は、複数の端末１０のうち取得要求５０を送信した要求元端末１０を除く他の端末１０から受信した提供コンテンツ情報８０の撮影画像８１のうちから、当該取得要求５０の期限データ５Ｂが示す撮影期限を満たす撮影時間データ８Ａを有した撮影画像８１を検出し、検出した撮影画像８１を含む提供コンテンツ９０を、上記の取得要求５０に対する応答として要求元端末１０に送信する要求画像送信部を備える。
【００３２】
（データの構成）
コンテンツ取得要求５０は、要求元端末１０を識別するための要求端末ＩＤ５Ａ、所望する被写体の撮影期限（撮影期限は、たとえば要求送信した時を基準にした期限（○月○日までに、○日午後○時までに、３日後までに、など）で示される）を示す期限データ５Ｂ、被写体の撮影場所を示す場所データ５Ｃ、撮影場所に関する情報のＵＲＬ（Uniform Resource Locator）データ５Ｄおよび被写体撮影のための撮影条件データ５Ｅを含む。撮影条件データ５Ｅは、たとえば、撮影方向や入手時間（夜、朝、夕方など）、“正面からの写真が見たい”、“夜景がみたい”などの場合に付けることができる。また、撮影条件データ５Ｅはフリーテキストであっても良い(“できるだけ人が入ってない画像”など)。要求端末ＩＤ５Ａは、記憶部１２に予め記憶された固有のＩＤを示す。また、期限データ５Ｂ〜撮影条件データ５Ｅは、ユーザによる入力情報に基づくデータである。
【００３３】
コンテンツ収集要求７０は、コンテンツ取得要求５０に基づき生成されることから、コンテンツ取得要求５０と同様に、被写体の撮影期限を示す期限データ７Ａ、被写体の撮影場所を示す場所データ７Ｂ、撮影場所に関する情報のＵＲＬデータ７Ｃ、および撮影の条件を示す撮影条件データ７Ｄ、および要求元端末１０を識別するための要求端末ＩＤ７Ｅを含む。撮影条件データ７Ｄは、被写体の指定（植物（桜）、動物（犬、猫）など）、撮影の方向、撮影時の明るさなどを指定する撮影条件を示す。
【００３４】
提供コンテンツ情報８０は、コンテンツ収集要求７０に従って撮影された撮影画像８１と関連データ８２を含む。関連データ８２は、撮影画像８１が撮影された時（月、日、時、分、秒）を特定するための撮影時間データ８Ａ、実際に撮影した場所を特定するための撮影場所データ８Ｂ、撮影者を識別する撮影者ＩＤデータ８Ｃ、および要求端末ＩＤ８Ｄを含む。要求端末ＩＤ８Ｄは、受信したコンテンツ収集要求７０の要求端末ＩＤ７Ｅを示す。サーバ４０は、提供コンテンツ情報８０を受信すると、記憶部の予め定められた領域に格納する。
【００３５】
後述するように端末１０はＧＰＳ（Global Positioning System）機能を有し、受信するＧＰＳデータには、端末１０の現在位置（緯度・経度）および現在時間のデータが含まれる。端末１０は、撮影時に取得するＧＰＳデータの現在時間データから撮影時間データ８Ａを取得する。また、ＧＰＳデータの現在位置データと記憶部１２に予め格納した地図データなどから、端末１０の位置する場所（○○公園、○○城、など）、すなわち撮影場所と特定するための撮影場所データ８Ｂを取得する。なお、撮影時間データ８Ａは、ＧＰＳデータから取得する他に、端末１０の内部タイマ（図示せず）による計時データから取得するとしてもよい。
【００３６】
提供コンテンツ９０は、対応の提供コンテンツ情報８０に基づき生成されることから、提供コンテンツ情報８０の撮影時間データ８Ａ、撮影場所データ８Ｂおよび撮影者ＩＤ８Ｃのそれぞれに対応した、撮影時間データ９Ａ、場所データ９Ｂおよび撮影者ＩＤ９Ｃと、画像ＵＲＬデータ９Ｄを含む。画像ＵＲＬデータ９Ｄは、対応の提供コンテンツ情報８０の撮影画像８１と特定するための画像特定データである。ここでは、画像特定データとして、サーバ４０により撮影画像８１が格納された記憶領域を一意に特定するためのＵＲＬデータを用いるが、これに限定されず、撮影画像８１そのものであってもよい。ＵＲＬデータの場合には、ユーザは、ＵＲＬデータを用いて端末１０からアクセスすることで撮影画像８１を取得（読出）することができる。
【００３７】
コメントデータ１００は、提供コンテンツ９０のデータから生成されて、コメントの対象である撮影画像８１の撮影者を示すための撮影者ＩＤ９Ｃおよび画像ＵＲＬデータ９Ｄのそれぞれに対応の撮影者ＩＤ１Ａおよび画像ＵＲＬデータ１Ｂを含み、さらに評価・感想のデータ１Ｃを含む。
【００３８】
（システムの構成）
図２は、本発明の実施の形態に係るシステムの概略構成図である。図２を参照して、システムには、複数の情報処理端末（以下、端末と称する）１０、および複数の端末１０と通信するサーバ４０を備える。端末１０は移動体端末と想定する。これらはインターネットなどの各種のネットワークＮＴを介して相互に通信する。
【００３９】
図３は、本発明の実施の形態に係る端末の構成図である。図３（Ａ）には、端末１０のハードウェア構成が示される。図３（Ａ）を参照して、端末１０はＣＰＵ（Central  Processing  Unitの略）１１、ＨＤＤ（Hard  Disc  Driveの略）、ＳＳＤ（SolＩＤ  State  Driveの略）、フラッシュメモリ、ＲＡＭ（Random  Access  Memoryの略）などの永続的な記憶を行う記憶媒体に加え、ＤＲＡＭ（Dynamic  Random  Access  Memoryの略）などの一時的なワークメモリとして利用する記憶媒体を含む記憶部１２、画像を含む情報を表示するための表示部１３、ユーザにより操作されるボタン、キーなどを含む操作部１４、ネットワークＮＴを介したデータ通信網経由の通信機能および近距離無線通信機能を有する通信部１５、外部Ｉ／Ｆ（Interfaceの略）１６、赤外線通信のためのＩＲ（InfraRed）通信部１９、およびスピーカなどからなる音声出力部２０、マイクロフォンなどの音声入力部２１およびＣＣＤ（Charge Coupled Device）カメラなどの撮影部２２を備える。表示部１３と操作部１４は、タッチパネル１８を構成する。ここでは、撮影部２２は端末１０に一体的に備えられるが、撮影部２２は端末１０とは別体であってもよい。
【００４０】
記憶部１２にはＷＷＷ（World Wide Web）ブラウザのプログラムおよび表示部１３に画像などのコンテンツ表示のためのビューワのプログラムを含む各種のプログラムが予め格納されている。ＣＰＵ１１は、ＷＷＷブラウザのプログラムを実行することにより、ネットワークＮＴを介してコンテンツ（ＨＴＭＬ（Hyper Text Markup Language）ファイル、画像ファイルおよび音楽ファイルなど）を通信部１５に受信させて、受信したファイルを解析し、解析結果に従って、表示部１３に画像などを表示させ、または音声出力部２０に音声を出力させる。
【００４１】
操作部１４は、ユーザによる操作内容を検出し、検出した操作内容をＣＰＵ１１に出力する。ＣＰＵ１１は操作内容を受付けて、操作内容から命令・データを検出する。
【００４２】
外部Ｉ／Ｆ１６は、外部から着脱自在に記憶媒体１７が装着され、装着された記憶媒体１７にＣＰＵ１１の制御のもとにデータを読書きする。
【００４３】
表示部１３には、ＬＣＤ（Liquid  Crystal  Displayの略）ディスプレイ、有機ＥＬ（electroluminescenceの略）ディスプレイなどを適用することができる。通信部１５は、有線ＬＡＮ（local  Area  Networkの略）、無線ＬＡＮ、携帯電話回線、Bluetooth(登録商標)やZigBee(登録商標)の通信機能を適用することができる。
【００４４】
図３（Ｂ）には端末１０の機能構成が示される。図３（Ｂ）を参照して、端末１０は、は、コンテンツ取得要求５０を送信するための要求送信部１０Ａ、提供コンテンツ情報８０をサーバに送信するための撮影画像送信部１０Ｂ、および位置情報送信部１０Ｃを備える。端末１０はＧＰＳ機能を利用して受信したＧＰＳデータから端末１０の位置を検出する機能を有する。位置情報送信部１０Ｃは、撮影部２２の起動時に検出された当該端末１０の位置情報６０をサーバ４０に送信する。位置情報６０は、端末１０を識別するための端末ＩＤを含み、サーバ４０は、記憶部１２の所定記憶領域に各端末１０の端末ＩＤに対応付けて受信する位置情報を格納する。
【００４５】
図３（Ｂ）の各部はＣＰＵ１１が有する機能として示されて、各部はプログラムとＣＰＵ１１の周辺回路との組合わせから構成される。各部のプログラムは予め記憶部１２のプログラム記憶領域に格納さてれて、ＣＰＵ１１が記憶部１２からプログラムを読出し、実行することで、その機能が実現される。
【００４６】
図４は、本実施の形態に係るサーバ４０のブロック図である。図４（Ａ）にはサーバ４０のハードウェア構成が示される。図４（Ａ）を参照して、サーバ４０は、ＣＰＵ４１、ＨＤＤ、ＳＳＤ、フラッシュメモリ、ＲＡＭなどからなる記憶部４２、ＬＣＤ、有機ＥＬ、ＣＲＴなどからなる表示部４３、ボタン、キー、マウスなどからなる操作部４４、ネットワークＮＴを介して通信するための通信部４５、外部からＣＤ−ＲＯＭ（Compact  Disc  Read  Only  Memory）４７などの記憶媒体が着脱自在に装着され、装着された記憶媒体をアクセスするための外部Ｉ／Ｆ４６を備える。
【００４７】
図４（Ｂ）にはサーバ４０の機能構成が示される。図４（Ｂ）を参照してサーバ４０は、要求画像送信部４０Ａを備える。要求画像送信部４０Ａは、コンテンツ取得要求５０を送信した要求元の端末１０を除く他の端末１０から受信した撮影画像８１のうちから、少なくとも当該コンテンツ取得要求５０の期限データ５Ｂが示す撮影期限を満たす撮影時間データ８Ａを有した撮影画像８１を検出し、要求元の端末１０に送信する。
【００４８】
さらにサーバ４０は、端末１０との通信情報から、当該端末１０の現在位置を示す位置情報を検出する位置検出部４０Ｂおよび撮影要求送信部４０Ｃを備える。撮影要求送信部４０Ｃは、位置検出部４０Ｂにより検出された位置情報のうちコンテンツ取得要求５０の場所データ５Ｃが示す場所に該当する位置を示す位置情報の端末１０宛てに、被写体の撮影要求であるコンテンツ収集要求７０を送信する。なお、“場所に該当する位置”とは、場所（公園、城など）内およびその場所から予め定められた範囲内の位置または地点を示す。
【００４９】
上記の位置検出部４０Ｂは、上記の他の端末１０から受信した位置情報６０のうちコンテンツ取得要求５０の場所データ５Ｃが示す場所に該当する位置を示す位置情報６０の送信元の端末１０を検出する送信元端末検出部４１Ｂを含む。上記の撮影要求送信部４０Ｃは、検出された送信元の端末１０にコンテンツ収集要求７０を送信する。
【００５０】
サーバ４０は、上記の他の端末１０のうち、被写体を撮影するべき場所（場所データ５Ｃが示す場所）を含む予め定められた範囲内に位置する１つ以上の端末１０を検出するための範囲内端末検出部４０Ｄと、範囲内端末検出部４０Ｄにより検出された１つ以上の端末１０宛てに、コンテンツ収集要求７０を送信する範囲内撮影要求部４０Ｅと、をさらに備える。
【００５１】
範囲内端末検出部４０Ｄは、より特定的には、上記の予め定められた範囲内に位置する端末１０からの受信情報に基づき、上記の１つ以上の端末を検出する。
【００５２】
サーバ４０は、端末１０の撮影画像送信部１０Ｂから送信された撮影画像８１を格納するための画像格納部４０Ｆと、画像格納部から、コンテンツ取得要求５０の期限データ５Ｂが示す撮影期限を満たす撮影時間データ８Ａを有した撮影画像８１を検索する画像検索部４０Ｇと、をさらに備える。検索された撮影画像８１は要求元の端末１０宛てに送信される。より好ましくは、画像検索部４０Ｇにより検索された撮影画像８１の送信元の端末に対し、当該撮影画像８１の提供許否の問合わせを送信する問合わせ部４０Ｈを、さらに備え、撮影画像８１の送信元の端末１０からの、提供拒否の問合わせに対応する応答に基づき、検索された撮影画像８１を要求元の端末１０に送信する。
【００５３】
図４（Ｂ）の各部はＣＰＵ４１が有する機能として示されて、各部はプログラムとＣＰＵ４１の周辺回路との組合わせから構成される。各部のプログラムは予め記憶部４２のプログラム記憶領域に格納さてれて、ＣＰＵ４１が記憶部４２からプログラムを読出し、実行することで、その機能が実現される。
【００５４】
サーバ４０は、実施の形態１〜３のいずれのモードでも動作すると想定する。図４（Ｂ）では、便宜上、これら動作モードに用いられる機能部の全てを表している。
【００５５】
（サービスに係る処理）
本実施の形態のサービス処理では、サーバ４０は、情報提供端末の撮影部２２の起動時にコンテンツ収集要求７０を送信する。図５は、本発明の実施の形態１のサービス処理における送受信される情報を説明する図である。図６は、本発明の実施の形態１に係る処理のシーケンスを模式的に示す図である。ここでは、コンテンツ取得要求５０をサーバ４０に送信する端末１０を“情報要求端末”（第１端末）と称し、提供コンテンツ情報８０をサーバ４０に送信する候補の端末１０を“情報提供端末”（第２端末）と称する（図５参照）。図５では、複数の情報提供端末を示すが、少なくとも１つ以上であればよい。
【００５６】
また、複数情報提供端末は、情報要求端末とは異なる端末１０であると想定するが、端末１０は情報提供端末および情報要求端末のいずれとしても動作可能である。
【００５７】
図６を参照して、情報要求端末のユーザは所望する被写体の写真画像を入手したい場合には、操作部１４を操作し情報を入力すると、ＣＰＵ１１は操作内容を受付けて、受付けた内容からコンテンツ取得要求５０を生成し（ステップＳ１）、要求送信部１０Ａはコンテンツ取得要求５０をサーバ４０宛てに送信する（ステップＳ３）。サーバ４０の要求受信部は、情報要求端末からコンテンツ取得要求５０を受信する（ステップＳ５）。
【００５８】
各情報提供端末はカメラアプリケーションプログラムが起動された時に、ＧＰＳ機能で当該端末の位置情報６０を取得し、位置情報送信部１０Ｃは位置情報６０をサーバ４０に送信する（ステップＳ７、Ｓ９、Ｓ１１）。サーバ４０は、位置情報６０を受信する。
【００５９】
位置検出部４０Ｂは、受信された位置情報６０を送信元端末検出部４１Ｂに出力する。送信元端末検出部４１Ｂは、受信した位置情報６０のうち、受信しているコンテンツ取得要求５０の場所データ５０Ｂが示す場所に該当する位置を示す位置情報６０の送信元の端末を、すなわち端末ＩＤを示す位置情報６０が有るかを判定する（ステップＳ１３）。撮影要求送信部４０Ｃは、有ると判定された位置情報６０の送信元の端末ＩＤを含むコンテンツ収集要求７０を生成し、当該情報提供端末宛に送信する（ステップＳ１５）。
【００６０】
より具体的には、撮影要求送信部４０Ｃは、コンテンツ取得要求５０の場所データ５Ｃが示す場所の情報と、各情報提供端末からの位置情報６０が示す位置と比較して、比較結果から、その場所に該当する位置を示す位置情報６０が有ると判定したとき、有ると判定された位置情報６０の送信元の情報提供端末宛てにコンテンツ収集要求７０を送信する。サーバ４０は、場所データ５０Ｂを緯度・経度データに変換し、位置情報６０が示す緯度・経度データと比較することで、当該場所に該当する位置を示す位置情報６０が有るか否かを判定する。
【００６１】
また、上記の緯度・経度データの比較から、場所データ５０Ｂが示す場所を含むあらかじめ決められた範囲内の位置を示す位置情報６０が有ると判定したとき、有ると判定された位置情報６０の送信元の情報提供端末宛てにコンテンツ収集要求７０を送信するとしてもよい。
【００６２】
情報提供端末は、コンテンツ収集要求７０を受信すると、受信したコンテンツ収集要求７０に基づく情報が表示部１３などに出力される（ステップＳ１７）。ユーザは、出力されたコンテンツ収集要求７０の情報に従い要求されている被写体を、撮影部２２を用いて撮影する（ステップＳ１９）。撮影画像送信部１０Ｂは、撮影された撮影画像８１を含む提供コンテンツ情報８０を生成し、サーバ４０に送信し（ステップＳ２１）、サーバ４０は提供コンテンツ情報８０を受信する。
【００６３】
要求画像送信部４０Ａは、コンテンツ収集要求７０を送信した後に情報提供端末から受信する提供コンテンツ情報８０のうちに、その撮影時間データ８Ａが示す撮影の時が、コンテンツ取得要求５０の期限データ５Ｂが示す撮影期限を満たすような提供コンテンツ情報８０が有るか否かを判定する。そして、有るとの判定がされた提供コンテンツ情報８０の撮影画像８１を記憶部４２に格納し、そのＵＲＬを含む提供コンテンツ９０を生成し、情報要求端末宛てに送信する（ステップＳ２３）。
【００６４】
情報要求端末は、提供コンテンツ９０を受信すると（ステップＳ２５）、提供コンテンツ９０に基づく情報が表示部１３に出力される（ステップＳ２６）。ユーザは、出力情報から、撮影画像８１のＵＲＬを用いてアクセスすることにより、格納されている撮影画像８１を受信し、表示部１３に表示させることができる。
【００６５】
ユーザは表示された撮影画像８１について、操作部１４を操作してコメントを入力することもできる。ＣＰＵ１１は入力されたコメントデータ１００を生成し、サーバ４０に送信する（ステップＳ２９）。サーバ４０は、コメントデータ１００を受信すると当該撮影画像を提供したユーザの情報提供端末に通知する（ステップＳ３１）。提供したユーザは、受信したコメントデータ１００を表示させることで、コメントを確認することができる（ステップＳ３３）。
【００６６】
なお、サーバ４０は、受信したコメントデータ１００を当該撮影画像８１に関連付けて格納し、当該撮影画像８１を提供したユーザの情報提供端末にコメント着の旨を通知する。提供ユーザは、撮影画像８１のＵＲＬを用いてアクセスすることで、撮影画像８１に関連付けされたコメントデータ１００を確認する、としてもよい。
【００６７】
[実施の形態２]
実施の形態１では、サーバ４０は、撮影部２２の起動を開始した情報提供端末に対しコンテンツ収集要求７０を送信したが、本実施の形態２のサービス処理では、実施の形態１と異なり、サーバ４０は、被写体の場所を含む予め定められた範囲内に位置する情報提供端末を検出したとき、当該情報提供端末宛てにコンテンツ収集要求７０を送信する。その他は、実施の形態１と同じであり、その点は簡単に説明する。
【００６８】
図７は、本発明の実施の形態２のサービス処理における送受信される情報を説明する図である。図８は、本発明の実施の形態２に係る処理のシーケンスを模式的に示す図である。図７では、サーバ４０は、被写体の撮影場所を含む予め定められた範囲内に設けられた近距離情報提供端末４８（近距離通信端末）を介し、情報提供端末と通信する。範囲内端末検出部４０Ｄは、近距離情報提供端末４８との通信情報から、当該予め定められた範囲内に位置している情報提供端末を検出する。本実施の形態２では、近距離情報提供端末４８と情報提供端末との通信経路は、近距離情報提供端末４８とサーバ４０の通信経路よりも短い。
【００６９】
近距離情報提供端末４８は、wifi（wireless fidelity）、bluetooth、NFC（Near Field Communication)などに従う近距離無線通信端末であり、無線信号が到達可能な上記の予め定められた範囲内の端末１０と通信し、通信により得られた情報（端末ＩＤなど）に基づき、予め定められた範囲内に端末１０（すなわち情報提供端末）が存在するかどうかを判定する。判定結果、情報提供端末が位置することを判定すると、判定結果をサーバ４０に送信し、サーバ４０はコンテンツ収集要求７０を、近距離情報提供端末４８を経由し、存在すると判定がされた情報提供端末宛てに送信する。
【００７０】
図８を参照して、情報要求端末からコンテンツ取得要求５０が、サーバ４０宛てに送信され（ステップＳ１、Ｓ３）、サーバ４０の要求受信部は、情報要求端末からコンテンツ取得要求５０を受信する（ステップＳ５）。
【００７１】
一方、近距離情報提供端末４８は上記のように、予め定められた範囲内に情報提供端末を位置するかを判定する（ステップＳ５ａ）。ここでは、情報提供端末が位置していると想定する。近距離情報提供端末４８は位置するとの判定結果をサーバ４０に送信する。サーバ４０は判定結果の受信に応じて、コンテンツ収集要求７０を、近距離情報提供端末４８を経由し、情報提供端末に送信する（ステップＳ５ｂ、Ｓ５ｃ）。
【００７２】
情報提供端末は、コンテンツ収集要求７０を受信し、受信したコンテンツ収集要求７０に基づく情報が表示部１３などに出力され（ステップＳ１７）、ユーザは、出力されたコンテンツ収集要求７０の情報に従い要求されている被写体を、撮影部２２を用いて撮影し（ステップＳ１９）、撮影画像８１を含む提供コンテンツ情報８０を生成し、サーバ４０に送信し（ステップＳ２１）、サーバ４０は提供コンテンツ情報８０を受信する。
【００７３】
以降は、提供コンテンツ９０およびコメントデータ１００に係る通信（ステップ２３〜Ｓ３３）が実施の形態１と同様に実行される。
【００７４】
範囲内端末検出部４０Ｄは近距離情報提供端末４８との通信情報から、予め定められた範囲内に情報提供端末を位置するかを判定したが、近距離情報提供端末４８を経由する判定方法に限定されない。たとえば、範囲内端末検出部４０Ｄは情報提供端末からの受信情報に基づき、当該情報提供端末が予め定められた範囲内に位置することを検出するとしてもよい。この場合には、情報提供端末は撮影場所の付近に張られているＱＲコード（Quick Response code）（登録商標）を読込んで、読込んだＱＲコードに基づきサーバ４０と通信し、サーバ４０からコンテンツ収集要求７０を受信する。
【００７５】
[実施の形態３]
実施の形態１および２では、サーバ４０は、情報提供端末に対しコンテンツ収集要求７０を送信したが、本実施の形態３では、実施の形態１および２とは異なり、サーバ４０はコンテンツ収集要求７０を送信することなしに、情報提供端末から被写体の撮影画像８１を受信し、当該撮影画像８１が、コンテンツ取得要求５０の少なくとも期限データ５Ｂが示す撮影期限を満たす時に撮影されたことを特定する撮影時間データ８Ａを有すると判定した場合には、当該撮影画像８１を提供コンテンツ情報８０として情報要求端末に送信する。
【００７６】
図９は、本発明の実施の形態３のサービス処理における送受信される情報を説明する図である。図１０は、本発明の実施の形態３に係る処理のシーケンスを模式的に示す図である。図９では、サーバ４０はファイルストレージ機能を持っており、情報提供端末のユーザから提供されるコンテンツ６Ａを、画像格納部に相当するコンテンツリスト４２Ａに登録し管理する。また、情報要求端末から受信するコンテンツ取得要求５０は、要求の撮影画像８１が取得できるまでは未処理要求リスト４２Ｂに登録されて管理される。コンテンツリスト４２Ａおよび未処理要求リスト４２Ｂは、記憶部４２を用いて構成される。コンテンツ６Ａは、撮影画像８１と関連データ８２Ａを含む。関連データ８２Ａは、撮影時間データ８Ａ、撮影場所データ８Ｂおよび撮影者ＩＤ８Ｃを含む。
【００７７】
本実施の形態では、コンテンツリスト４２Ａは、情報提供端末から受信するコンテンツ６Ａの撮影画像８１および関連データ８２Ａが格納されるとしているが、格納形式はこれに限定されない。たとえば、撮影画像８１はＵＲＬデータで特定される別の記憶領域に格納しておき、コンテンツリスト４２Ａには関連データ８２Ａのみを、撮影画像８１とリンク（紐付け）して格納するとしてもよい。
【００７８】
本実施の形態では、サーバ４０は、コンテンツリスト４２Ａに既に格納される撮影画像８１について、その撮影時間データ８Ａによって特定される撮影された時がコンテンツ取得要求５０の少なくとも撮影期限に該当すると判定したときは、当該撮影画像８１の提供者（すなわち、撮影者ＩＤで特定される者）に提供可能かの問い合わせを、当該撮影者ＩＤを用いて情報提供端末宛てに送信する。提供者から提供可の応答があれば、当該撮影画像８１は提供コンテンツ９０として要求元の情報提供端末に送信する。提供不可の応答の場合には、コンテンツ取得要求５０を未処理要求リスト４２Ｂに登録する。
【００７９】
未処理要求リスト４２Ｂに登録のコンテンツ取得要求５０についても、上記の同様にコンテンツリスト４２Ａの検索と、提供許否の問い合わせがなされる。
【００８０】
図１０を参照して、実施の形態３のサービス処理を説明する。ここでは、情報要求端末からサーバ４０へのコンテンツ取得要求５０の送信と、情報提供端末からサーバ４０へのコンテンツ６Ａの送信（アップロード）は独立して、すなわち並行して行われる。
【００８１】
まず、サーバ４０は、情報要求端末から送信されたコンテンツ取得要求５０を受信する（ステップＳ１、Ｓ３、Ｓ５）。
【００８２】
画像検索部４０Ｇは、受信したコンテンツ取得要求５０の期限データ５Ｂおよび場所データ５Ｃに基づき、コンテンツリスト４２Ａのコンテンツ６Ａを検索する。検索結果に基づき、撮影期限内に撮影され、且つ要求された撮影場所に該当する場所で撮影された撮影画像８１を有したコンテンツ６Ａが格納されていると判定する（図１０の“ヒット有り”）。
【００８３】
“ヒット有り”の場合には、問合わせ部４０Ｈは、ヒットしたコンテンツ６Ａの提供者の情報提供端末（すなわち、撮影者ＩＤで特定される情報提供端末）に提供許否を問合わせるためのコンテンツ提供許可要求６Ｂを送信する（ステップＳ５ｃ）。
【００８４】
情報提供端末では、コンテンツ提供許可要求６Ｂを受信し、表示部１３などに出力される（ステップＳ１７ａ）。出力を確認した提供者は、たとえば操作部１４から提供許可入力の操作をし（ステップＳ１７ｂ）、ＣＰＵ１１は操作内容からコンテンツ提供許可応答６Ｃを生成し、サーバ４０に送信する（ステップＳ１７ｃ）。
【００８５】
サーバ４０は、コンテンツ提供許可応答６Ｃを受信すると、上記のヒットしたコンテンツ６Ａの撮影画像６１と関連情報（撮影時間、撮影場所などの情報）を、情報要求端末に送信する（ステップＳ２３）。
【００８６】
以降は、実施の形態１と同様に、情報要求端末における提供コンテンツの出力およびコメントデータ１００に係る通信（ステップ２５〜Ｓ３３）が実行される。
【００８７】
一方、撮影画像８１を有したコンテンツ６Ａが格納されていないと判定する（図１０の“ヒット無し”）場合には、ＣＰＵ４１当該コンテンツ取得要求５０を、未処理要求リスト４２Ｂに登録する（ステップＳ５ｄ）。
【００８８】
コンテンツ６Ａが受信されてコンテンツリスト４２Ａに格納されると（ステップＳ３４、Ｓ５ｅ）、画像検索部４０Ｇは、コンテンツリスト４２Ａの関連情報を、未処理要求リスト４２Ｂに登録されているコンテンツ取得要求５０に基づき検索し、上述のようにヒット有り／無しを判定する。ヒット有りの場合には、上記のステップＳ５ｃ以降の処理が行われて、当該コンテンツ取得要求５０は未処理要求リスト４２Ｂから削除され、ヒット無しの場合には、上記のステップＳ５ｄに戻り、以降の処理が同様に行われる。
【００８９】
一方、コンテンツ提供許可要求６Ｂを受信した提供者が、たとえば操作部１４から提供不可入力の操作をすると、ＣＰＵ１１は操作内容からコンテンツ提供不可応答を生成し、サーバ４０に送信する。サーバ４０は、コンテンツ提供不可応答を受信すると、当該コンテンツ取得要求５０を、未処理要求リスト４２Ｂに登録する。
【００９０】
このように、サーバ４０は、情報提供端末に対しコンテンツ収集要求７０を送信することなしに、情報要求端末にユーザ所望の撮影期限内で撮影がされた被写体の画像を送信することができる。
【００９１】
[実施の形態４]
上記の実施の形態１〜３のそれぞれは、単独で実行されてもよく、組み合わせて実行されてもよい。組み合わせて実行される場合に、実施の形態１で送信元端末検出部４１Ｂが場所データ５Ｃの場所に位置する情報提供端末を検出することができないとき、または実施の形態２で範囲内端末検出部４０Ｄが場所データ５Ｃの場所を含む予め定められた範囲内に位置する情報提供端末を検出することができないときは、実施の形態３の画像検索部４０Ｇを利用して画像格納部の撮影画像を検索してヒットした撮影画像を提供するようにしてもよい。
【００９２】
[実施の形態５]
サーバ４０は、上記のコンテンツ収集要求７０を送信するべき候補の情報提供端末を、選択する基準として、登録されている情報提供端末の過去の移動履歴または情報提供端末のユーザスケジュール（予定）を用いてもよい。
【００９３】
つまり、サーバ４０は、情報提供端末から定期的に位置情報を受信し、当該ユーザの行動（時間、場所）の情報を蓄積する。蓄積した行動情報から、コンテンツ取得要求５０の場所データ５Ｃの場所に移動すると推測できる場合には、当該ユーザの情報提供端末に対してコンテンツ収集要求７０を送信する。または、ユーザスケジュールを受信し、そのスケジュール情報から、コンテンツ取得要求５０の期限データ５Ｂの期限までに場所データ５Ｃの場所にユーザが出向くと判定した場合には、該ユーザの情報提供端末に対してコンテンツ収集要求７０を送信する。
【００９４】
[実施の形態６]
実施の形態１と２では、コンテンツ取得要求５０の場所データ５Ｃは、当該場所に情報提供端末が位置するかを判定するために参照したが、撮影画像の撮影位置が当該場所であるかを判定するために参照するようにして、当該場所から全く外れた位置で撮影された撮影画像８１が情報要求端末に送信されるのを防止するとしてもよい。
【００９５】
つまり、要求画像送信部４０Ａは、情報提供端末から受信する撮影画像８１について、撮影時が撮影期限を満たし、且つ撮影場所データ８Ｂが示す撮影時の端末位置が場所データ５Ｃの場所に該当すると判定したとき、当該撮影画像８１を情報要求端末の送信する。
【００９６】
これにより、情報提供端末を携帯したユーザが、サーバ４０によって位置検出された後に移動して撮影場所から全く外れた位置で撮影した撮影画像８１が、サーバ４０を経由し情報要求端末に送信されるのを防止することができる。
【００９７】
[実施の形態７]
サーバ４０は、未処理要求リスト４２Ｂなどのように、受信したコンテンツ取得要求５０をリスト形式で登録し、登録リストの情報を情報提供端末に対し閲覧可能なように公開するとしてもよい。その場合には、撮影期限が近い順にコンテンツ取得要求５０の情報を一覧表示する、または場所データ５Ｃが指定する撮影場所が、閲覧中の情報提供端末の現在位置から距離にして近い順にコンテンツ取得要求５０の情報を一覧表示するとしてもよい。
【００９８】
[実施の形態８]
サーバ４０は、コンテンツ取得要求５０に応じて情報要求端末のユーザに対し、提供コンテンツ情報８０による撮影画像８１を提供した情報提供端末のユーザに、提供毎に得点を加算するようにしてもよい。得点は、ユーザが被写体の撮影および撮影画像の提供として受け取る報酬に相当する。
【００９９】
[実施の形態９]
上述した実施の形態の各シーケンスに従うプログラムは、サーバ４０に付属するＣＤ−ＲＯＭ４７などのように、ＣＰＵ４１がメモリドライバである外部Ｉ／Ｆ４６を介して読取り可能な記録媒体に非一時的に記録させて、プログラム製品としてサーバ４０に提供することができる。あるいは、ネットワークＮＴを介して記憶部４２の予め定められた記憶領域へのダウンロードによって、プログラムを提供することもできる。
【０１００】
提供されるプログラム製品は、プログラム自体と、プログラムが記録された記録媒体とを含む。
【０１０１】
（実施の形態に係る効果）
実施の形態によれば、コンテンツ取得要求５０に撮影期限を持たせることで、ユーザは、撮影画像８１を必要とする期限までに入手することができる。さらに、場所データ５Ｃおよび撮影条件データ５Ｅの設定により、“東京に行くので東京の空模様が知りたい”、“車で旅行するので、現時点の渋滞情報が知りたい”、“来週、観光旅行に行きたいので、現地の状況が知りたい”、“イベント会場の込み具合が知りたい”などのユーザの要求を満たすことができる。また、コンテンツ取得要求５０をサーバに送信した時に撮影の場所データ５Ｃの撮影場所およびその近傍にいる人に、コンテンツ収集要求７０を配信することで、撮影画像を提供できそうな人に確実にリクエストを届けることができる。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
５Ｂ，７Ａ  期限データ、５Ｃ，７Ｂ，９Ｂ，５０Ｂ  場所データ、１０  端末、４０  サーバ、４０Ａ  要求画像送信部、４０Ｂ  位置検出部、４０Ｃ  撮影要求送信部、４０Ｄ  範囲内端末検出部、４０Ｅ  範囲内撮影要求部、４０Ｆ  画像格納部、４０Ｇ  画像検索部、４０Ｈ  問合わせ部、４１Ｂ  送信元端末検出部、４２Ａ  コンテンツリスト、４２Ｂ  未処理要求リスト、４８  近距離情報提供端末、５０  コンテンツ取得要求、６０  位置情報、６１，８１  撮影画像、７０  コンテンツ収集要求、８０  提供コンテンツ情報、８２，８２Ａ  関連データ、９０  提供コンテンツ、１００  コメントデータ。
【図１】
2014106695.tif 000003
【図２】
2014106695.tif 000004
【図３】
2014106695.tif 000005
【図４】
2014106695.tif 000006
【図５】
2014106695.tif 000007
【図６】
2014106695.tif 000008
【図７】
2014106695.tif 000009
【図８】
2014106695.tif 000010
【図９】
2014106695.tif 000011
【図１０】
2014106695.tif 000012